(57)【要約】【課題】従来のフィルタリングパターンの配信では、コンテンツフィルタリング装置に接続される機器を全て同一に扱うので、機器毎に最適なフィルタリングパターンを配信できない。また、機器からフィルタリングパターンを選択する場合、ユーザは機器にとって最適なフィルタリングパターンがわからない。【解決手段】フィルタリング装置１０１に装置種別情報管理部１０４を、フィルタリングリストサーバ１０２に装置種別情報・フィルタリングリストデータベース部１０６を備え、フィルタリング装置１０１が装置種別情報をフィルタリングサーバ１０２に送付することにより、装置種別情報に基づいたフィルタリングパターンリストが配信される。【選択図】図１
2006018635.tif 000002
【特許請求の範囲】
【請求項１】
ネットワークを介して接続されたクライアントから通信されるデータのフィルタリングを行うフィルタリング装置とフィルタリングリストサーバよりなるフィルタリングシステムであって、
前記フィルタリング装置は、
装置種別情報を管理する装置種別情報管理部と、
前記フィルタリングリストサーバに前記装置種別情報を含むフィルタリングリスト配信要求を行い、配信されてきたフィルタリングリストを受信する装置通信部と、
配信されたフィルタリングリストを記憶しておくフィルタリングリスト記憶部と、
前記フィルタリングリストに従ってネットワークを介して接続されたクライアントから送信されたデータのフィルタリングを行うフィルタリング機能部とを備え、
前記フィルタリングリストサーバは、
装置種別情報に対応したフィルタリングリストを記憶するフィルタリングリストデータベース部と、
前記フィルタリング装置から前記フィルタリング配信要求を受信し、フィルタリング配信要求に含まれる装置種別情報に対応するフィルタリングリストを前記フィルタリングリストデータ部から読み出し、前記フィルタリング装置に送信するサーバ通信部
を備えたことを特徴とするフィルタリングシステム。
【請求項２】
前記フィルタリング装置は、ネットワークに接続されることを検出するためのネットワーク接続検出部を備え、ネットワーク接続を検出したときに、前記フィルタリングリストサーバに対して、フィルタリングリスト配信要求を行うことを特徴とする、請求項１に記載のフィルタリングシステム。
【請求項３】
前記フィルタリングリストサーバは、前記フィルタリングリストデータベース部に記憶した装置種別情報またはフィルタリングリストデータベースが更新されたとき、前記フィルタリング装置に更新通知を行い、
前記データベース更新通知を受信したとき前記フィルタリング装置は、前記フィルタリングリストサーバにフィルタリングリスト配信要求を行う
ことを特徴とする、請求項１または２に記載のフィルタリングシステム。
【請求項４】
前記装置種別情報は、機器の使用者が一般ユーザか管理者ユーザかを示す使用者情報、機器のソフトウェアのバージョン情報、機器のＩＰアドレス、機器のメーカ名、機器種別または機器品番の少なくとも一つを含むことを特徴とする請求項１から請求項４のいずれか１項に記載のフィルタリングシステム。
【請求項５】
前記フィルタリング装置にクライアントが接続され、
前記クライアントは、自身が有する装置種別情報を前記フィルタリング装置に送信する装置種別情報送信部を備え、
前記フィルタリング装置は、前記フィルタリングリスト記憶部に前記クライアントのＩＰアドレスとフィルタリングリストを対応付けてさらに記憶し、前記クライアントから装置種別情報を受信したとき、受信した装置種別情報に対応するフィルタリングリストが記憶されていなければ、前記フィルタリングリストサーバにフィルタリングリスト配信要求を行うことを特徴とする、請求項１に記載のフィルタリングシステム。
【発明の詳細な説明】
【技術分野】
【０００１】
本発明は、コンピュータネットワークにおいて通信されるデータのフィルタリング技術に関する。
【背景技術】
【０００２】
近年、インターネットに代表されるコンピュータネットワークやネットワーク接続機器の普及に伴い、ネットワーク上での様々なコンテンツの流通が盛んとなっている。このような状況の中で、通信を行う者が意図しないコンテンツや有害なコンテンツを取得してしまうことがあり、問題となっている。
【０００３】
そこで、表現の自由を尊重しながら、有害な情報から人々を守るための手段としてフィルタリング技術の必要性が高まっている。フィルタリング技術の例として、ＵＲＬフィルタリングがある。ＵＲＬフィルタリングとは、インターネット上に存在する有害コンテンツを含むＷｅｂサイトへのアクセスをブロックする仕組みのことである。
【０００４】
従来のフィルタリング技術としては、Ｗｅｂアクセスを行うクライアントが実際にＷｅｂアクセスを行う際、ＵＲＬフィルタリング機能を持ったゲートウェイを経由して通信を行うか、クライアント毎にＵＲＬフィルタリングの機能を持ち通信を行う方法がある。フィルタリング機能では、有害サイトから抽出したフィルタパターンを記憶しておき、Ｗｅｂアクセスがあった際に、フィルタパターンとそのＷｅｂアクセスとを比較し、そのＷｅｂアクセスが有害サイトへのものでなければ許可するという機能を持っていた（特許文献１参照）。特許文献１の構成としては、フィルタパターン生成部と、フィルタパターン記憶部と、フィルタパターン配信部とを備えるフィルタパターンサーバを設置し、ネットワークの中継点にてゲートウェイ装置として設置されるコンテンツフィルタリング装置を持つものがあった。フィルタパターンサーバではフィルタパターンが更新されると、あらかじめ登録リストに登録された、少なくとも１台のコンテンツフィルタリング装置のアドレスを登録リストから取得して、各コンテンツフィルタリング装置にフィルタパターンを配信していた。また、コンテンツフィルタリング装置では、受信したフィルタパターンファイルによって、自己の記憶装置内のフィルタパターンを更新する。更に、ネットワークの間をやりとりされるネットワークトラフィックを、フィルタパターンファイルと照合することによって、その適否を審査する。
【特許文献１】特開２００３−８５０７９号公報（７頁、図１）
【発明の開示】
【発明が解決しようとする課題】
【０００５】
コンテンツフィルタリングではコンテンツにアクセスを行う際に、コンテンツフィルタリング装置に接続される多数のクライアントからアクセスを行う可能性が大きい。それらクライアントでは自身の機器種類（Ｗｅｂアクセス機能の有無等）や状態（ソフトウェアバージョン）によってフィルタリングしたい対象コンテンツが異なる場合が考えられる。例えば、それぞれネットワークに接続されたテレビとパーソナルコンピュータ（ＰＣ）では閲覧するサイトが異なる場合や、また、使用する条件（使用しているユーザ等）によってフィルタリングパターンを変える場合がある。しかしながら、前記従来の構成ではフィルタリングパターンを配信する際に、コンテンツフィルタリング装置に接続される機器を全て同一に扱っているため、機器毎に最適なフィルタリングパターンを自動的に決定し配信することができない。また、機器からフィルタリングパターンを選択する場合に、フィルタリングパターンのジャンルだけを選択項目にすると、ユーザはどのジャンルを選択すれば自身の機器にとって最適なフィルタリングが行われるのかがわからない。
【課題を解決するための手段】
【０００６】
前記従来の課題を解決するために、本発明のフィルタリングシステムは、ネットワークに接続したフィルタリング装置と、フィルタリングリストサーバから構成されている。
【０００７】
フィルタリング装置は、装置毎に固有の装置種別情報を有し、フィルタリングリストサーバに対して、装置種別情報に対応したフィルタリングリスト配信要求を行い、配信したフィルタリングリストを記憶しておくフィルタリングリスト記憶部と、自身の装置種別情報を管理する装置種別情報管理部と、フィルタリングリストにしたがってフィルタリングを行うフィルタリング機能部とを備えている。
【０００８】
フィルタリングリストサーバは、装置種別情報に対応したフィルタリングリストを記憶しておき、フィルタリング装置からフィルタリングリスト配信要求を受信したときに、受信した装置種別情報に対応するフィルタリングリストを送信する装置種別情報・フィルタリングリストデータベース部とを備えている。本構成によって、装置毎に最適なフィルタリングリストを使用したフィルタリングを行うことができる。
【発明の効果】
【０００９】
上記に記載した構成を有する本発明のフィルタリングシステムを用いることによって、装置毎に最適なフィルタリングリストを使用したフィルタリングを行うことができる。
【発明を実施するための最良の形態】
【００１０】
以下、本発明の実施の形態について、図面を参照しながら説明する。
【００１１】
（実施の形態１）
図１は、本発明の実施の形態１におけるフィルタリングシステムの構成図である。
【００１２】
図１におけるフィルタリングシステムは、ネットワーク１０７に接続されたフィルタリングリストサーバ１０５とフィルタリング装置１０１から構成されている。クライアント１０８は例えばテレビ、ＰＣ、携帯情報端末、携帯電話等、有線／無線を問わずネットワーク１０７へ接続可能な機器で、接続の際にはフィルタリング装置１０１をプロキシとして経由する。また、フィルタリング装置１０１とクライアント１０８は独立した装置であってもよいし、フィルタリング装置１０１内にクライアント１０８を内蔵もしくは、クライアント１０８内にフィルタリング装置１０１を内蔵したものであってもよい。また、フィルタリング装置はプログラムで構成してもよい。
【００１３】
ネットワーク１０７に接続されたフィルタリングリストサーバ１０５は、装置種別情報に対応したフィルタリングリストを記憶しておき、フィルタリング装置１０１からフィルタリングリスト配信要求を受信したときに、受信した装置種別情報に対応するフィルタリングリストを送信する装置種別情報・フィルタリングリストデータベース部１０６を備えている。フィルタリングリストには装置種別情報に対応してフィルタリングを行うコンテンツの特徴が記録されている。例えばインターネット上のコンテンツをフィルタリングする場合にはその特徴とはＷｅｂページのＵＲＬやコンテンツ中の文字列である。
【００１４】
また、ネットワーク１０７に接続されたフィルタリング装置１０１は、フィルタリングリストを記憶するためのフィルタリングリスト記憶部１０３とフィルタリングを行うフィルタリング機能部１０２、ネットワークに接続するための装置通信部１０９、装置種別情報を管理・記憶している装置種別情報管理部１０４を有している。クライアント１０８は、フィルタリング装置１０１に接続され、ネットワーク上にあるコンテンツへのアクセスに伴い例えばＨＴＴＰリクエスト等のデータの送受信を行うものである。フィルタリング装置１０１が有している装置種別情報管理部１０４は、クライアント１０８と接続されたときにクライアント１０８から送信された装置種別情報を受信し、クライアント１０８のＩＰアドレスと装置種別情報とを対応付けて記憶する。
【００１５】
クライアント１０８はネットワーク１０７を通じてデータを送受信する際、そのデータはフィルタリング装置１０１のフィルタリング機能部１０２を経由する。この送受信の際にフィルタリング機能部１０２ではデータに対するフィルタリングリストの適否を判断し、フィルタリング条件に一致するデータに対して破棄または通過の処理を行う。例えば、フィルタリングリストでＷｅｂページのＵＲＬ「ｈｔｔｐ：／／ｗｗｗ．ａｂｃ−ｄｅｎｋｉ．ｃｏ．ｊｐ／」へのアクセスが許可または不許可になっている場合、クライアント１０８から送信されたＨＴＴＰリクエストのＧＥＴ要求内のＵＲＬを参照して、コンテンツへのアクセスを許可または不許可と判断し、アクセスの破棄または通過を行う。アクセスが許可の場合は、クライアント１０８から送信されたリクエストは、フィルタリング装置１０１を経由してＷｅｂページへのアクセスが行われクライアント１０８へＷｅｂページが表示される。アクセスが不許可だった場合は、クライアント１０８から送信されたリクエストは、フィルタリング装置１０１で破棄され、クライアント１０８にはリクエストが拒否された旨の情報が送信される。
【００１６】
フィルタリングに使用するフィルタリングリストの取得は以下のような方法で行われる。フィルタリング装置１０１は、フィルタリングリストサーバ１０５に、フィルタリングリスト配信要求の送信を行う。フィルタリングリスト配信要求の送信を行うには図４〜７のフローチャートで示すような方法がある。
【００１７】
図４はクライアント１０８を操作するユーザがクライアント１０８のユーザインタフェースから手動でフィルタリングリスト配信要求を送信する方法である。以下に図４を用いてフィルタリングリスト配信要求を送信するまでの動作を説明する。４０１においてクライアント１０８がフィルタリングリスト配信要求を行う。
【００１８】
図５はフィルタリング装置１０１をネットワーク１０７に接続した際に自動的にフィルタリングリスト配信要求を送信する方法である。以下、図５を用いてフィルタリングリスト配信要求を送信するまでの動作を説明する。まず５０１において、フィルタリング装置１０１がネットワーク１０７へ接続されているかをネットワーク接続検出部が検出する。検出方法の一例として、ネットワーク接続検出部が定期的にフィルタリングリストサーバ１０５の接続確認ができるパケットを送信し、フィルタリングリストサーバ１０５からの応答パケットから判断する方法が考えられる。ネットワーク１０７に接続されていなければネットワーク１０７への接続を監視し続ける。５０２において、ネットワーク１０７に接続されるとフィルタリングリスト配信要求を行う。
【００１９】
図６はフィルタリングリストサーバ１０５内の装置種別情報・フィルタリングリストデータベース部１０６が更新されたときにフィルタリングリスト配信要求を送信する方法である。データベースの更新はフィルタリングリストサーバ１０５の保守を行う管理者が行う方法が考えられる。
【００２０】
以下に図６を用いてフィルタリングリスト配信要求を送信するまでの動作を説明する。まず、６０１においてフィルタリングリストサーバ１０５内の装置種別情報・フィルタリングリストデータベース部１０６の更新を検知する。６０２においてデータベースの更新を検知するとフィルタリングリストサーバ１０５は、フィルタリング装置１０１のアドレスを保持しているアドレスリストを参照し、フィルタリング装置１０１に対してデータベース更新通知を送信する。６０３において、フィルタリング装置１０１ではデータベース更新通知を受信するとフィルタリングリスト配信要求を行う。また、データベース更新通知の内容の一例を図１１に示す。図１１で示すように、データベース更新通知にはフィルタリングリストのバージョンを記載している。フィルタリング装置１０１側では、受信したデータベース更新通知の内容により、例えば、フィルタリングリストのバージョン番号を自身の持つフィルタリングリストと比較してフィルタリングリスト更新通知送信の要否を判断する。また、フィルタリングリストのバージョン番号がフィルタリングリストサーバ１０５から送られることで、フィルタリング装置１０１がフィルタリングリスト更新の要否判断を行うことを示したが、フィルタリングリストの更新日付時刻で判断してもよい。またデータベース更新通知をフィルタリングリストサーバ１０５から送ることを説明したが、データベース更新通知ではなく更新リストを送付する構成にしてもよい。
【００２１】
図７はフィルタリングリストサーバ１０５内の装置種別情報・フィルタリングリストデータベース部１０６が更新されたときにフィルタリングリスト配信要求を送信する方法である。以下に図７を用いてフィルタリングリスト配信要求を送信するまでの動作を説明する。なお、この方法で配信要求を送信する場合には、クライアント１０８に付随して時刻管理を行うタイマーを有する構成になる。まず、７０１において、あらかじめクライアント１０８が設定したフィルタリングリスト配信要求を送信時間になったかを検知する。設定した時間でなければ時間の検知を続ける。７０２において、設定した時間になるとフィルタリングリスト配信要求を行う。フィルタリングリスト配信要求を受けたフィルタリングリストサーバ１０５は、フィルタリングリストデータベース部１０６のフィルタリングリストを要求のあったフィルタリングリストサーバ１０５に送付する。また、フィルタリングリストサーバ１０５の送付するフィルタリングリスト配信要求にフィルタリングリストサーバ１０５が記憶しているフィルタリングリストのバージョン番号を含めて送付しても良い。この場合、フィルタリングリスト配信要求を受けたフィルタリングリストサーバ１０５は、フィルタリングリストデータベース部１０６で管理されるフィルタリングリストのバージョン番号を照合し、バージョンの更新がされておれば、最新版のフィルタリングリストを要求のあったフィルタリングリストサーバ１０５に送付し、バージョンの更新が無ければ、更新がない旨の通知を行うようにしてもよい。
【００２２】
以上のような方法が、フィルタリングリスト配信要求を送信する手段として考えられる。次に、フィルタリングリスト配信要求の内容の一例を図１２に示す。図１２で示すように、フィルタリングリスト配信要求には配信先であるフィルタリング装置１０１のＩＰアドレスや、リストの配信手段としてリスト全てを送信するか更新された差分リストだけを送信するかを選択できるようにする方法が考えられる。フィルタリングリスト配信要求を受信したフィルタリングリストサーバ１０５は、自身の持つ装置種別情報・フィルタリングリストデータベース部１０６より、受信したフィルタリングリスト配信要求に含まれた装置種別情報に対応したフィルタリングリストを選択し、フィルタリングリスト配信要求を送信してきたフィルタリング装置１０１にフィルタリングリスト配信応答を送信する。もし、装置種別情報に対応したフィルタリングリストが存在しなかった場合は、フィルタリングリスト配信応答としてフィルタリングリストが存在しないとの応答を返す。フィルタリングリスト配信応答を受信したフィルタリング装置１０１は、受信したフィルタリングリストをフィルタリングリスト記憶部１０３に記憶する。
【００２３】
以上が、フィルタリングリストの取得・設定動作である。このようにフィルタリング装置１０１の装置種別情報に適したフィルタリングリストが取得・設定された後に、クライアント１０８からフィルタリング装置１０１を介してネットワーク１０７へのアクセスがあった場合、フィルタリング装置１０１はクライアント１０８からのアクセスを取得し、フィルタリングリスト記憶部１０３に記憶しているフィルタリングリストと照合を行い、そのアクセスの適否を決定することになる。
【００２４】
また、フィルタリングリストは、クライアント１０８からネットワーク１０７へデータを送受信する際に、データから抽出したＵＲＬなどの要素と比較するために利用される。
【００２５】
例えば、ＵＲＬフィルタリングを行う場合の動作を、図８を用いて説明する。例えば、パソコン等からのブラウザを用いたＵＲＬへのアクセスを行うとき、８０１において、クライアント１０８から送信されたＨＴＴＰリクエストをフィルタリング機能部１０２で受信する。８０２において、クライアント１０８のＵＲＬアクセス情報からアクセスしようとするＵＲＬを抽出する。８０３において、抽出したアクセス先ＵＲＬとフィルタリングリスト記憶部１０３に記憶されているフィルタリングを行うＵＲＬとの比較を行う。もし、アクセス先ＵＲＬがフィルタリングリストに含まれており、フィルタリングリストがアクセスを拒否するためのリストだった場合、８０４において、クライアント１０８への応答としてアクセス不許可であると送信する。もし、フィルタリングリストに記載されていないＵＲＬであった場合は、８０５において、フィルタリング機能はアクセス先ＵＲＬへのアクセスを行う。次に８０６において、クライアント１０８への応答としてアクセス先ＵＲＬから受信した情報の内容を送信する。また、ＵＲＬフィルタリングを行う場合について図９にフィルタリングリストの一例を挙げている。ここでは、アクセスから抽出される要素はＵＲＬであり、その抽出したＵＲＬとフィルタリングリストに含まれるＵＲＬとを比較してデータの送受信の適否を決定する。
【００２６】
（実施の形態２）
図２は、本発明の実施の形態２におけるフィルタリングシステムの構成図である。図２において、図１と同じ構成要素については同じ符号を用い、説明を省略する。
【００２７】
図２におけるフィルタリング技術は、ネットワーク１０７に接続されたフィルタリングリストサーバ１０５とフィルタリング装置１０１から構成されている。クライアント１０８はネットワーク１０７へ接続可能な機器で、接続の際にはフィルタリング装置１０１を経由する。
【００２８】
上記実施の形態１の発明でのフィルタリング装置１０１に、装置種別情報設定部２０１を組み込むことによって、装置種別情報をクライアントにより設定可能とし、取得するフィルタリングリストを、より装置の使用状況に適したものにできる。この時、設定できる装置種別情報としては、例えば製品種類、位置情報、使用者情報、バージョン情報などが挙げられる。図１０に装置種別情報の一例を挙げる。図１０において例えば、製品型番であれば、クライアント１０８の製品種類を設定可能であり、クライアント１０８がどのような機能を有する製品であるかを設定できる。例えば「テレビ」と設定すると、テレビで表示することが好ましくないＷｅｂページやコンテンツをフィルタリングするような設定が可能である。位置情報ではクライアント１０８の設置される位置が設定可能であり、家庭内であれば居間のような多人数の目にふれる場所と書斎のような限定された人の目にしかふれない場所とで、同じ機器であっても別の位置情報の設定が可能である。使用者情報では、クライアント１０８の使用者を設定することができ、使用者が管理者もしくは一般ユーザの場合でフィルタリング条件を変えるような設定が可能である。バージョン情報では、クライアント１０８の内部ソフトウェアのバージョンによってフィルタリングを変更する設定が可能である。
【００２９】
（実施の形態３）
図３は、本発明の実施の形態３におけるフィルタリングシステムの構成図である。図３において、図１および図２と同じ構成要素については同じ符号を用い、説明を省略する。
【００３０】
図３におけるフィルタリング技術は、ネットワーク１０７に接続されたフィルタリングリストサーバ１０５と、クライアント３０１のＩＰアドレスとフィルタリングリストとを対応づけて記憶することのできるフィルタリングリスト記憶部３０５を含んだフィルタリング装置３０４、装置種別情報設定部３０３および装置種別情報送信部３０２を備えたクライアント３０１から構成されている。上記実施の形態１の発明でのフィルタリング装置１０１をゲートウェイとして使用することによって、クライアント毎の装置種別情報に対応したフィルタリングリストを使用することができるようになる。
【００３１】
例えば、クライアント３０１が設定した装置種別情報に適するフィルタリングリストを取得する際の動作について説明する。まず、クライアント３０１を使用するユーザが装置種別情報設定部３０３を用いてクライアント３０１の装置種別情報を設定する。その後、装置種別情報設定部３０３は設定された装置種別情報を装置種別情報送信部３０２へ送る。もしこの時にクライアント３０１がフィルタリング装置３０４に接続されている場合、装置種別情報送信部３０２はすぐに装置種別情報をフィルタリング装置３０４に送信する。接続されていなかった場合は、フィルタリング装置３０４に接続された時点で装置種別情報の送信処理を行う。また、設定されていた装置種別情報が変更された時も、装置種別情報の送信処理を行う。クライアント３０１から装置種別情報を受信したフィルタリング装置３０４内のフィルタリング機能部１０２は、まず自身のフィルタリングリスト記憶部３０５および装置種別情報管理部１０４に受信した装置種別情報に対応したフィルタリングリストが記憶されているかどうかを判断する。もし、受信した装置種別情報に対応したフィルタリングリストが存在すれば、フィルタリングリスト記憶部３０５および装置種別情報管理部１０４は装置種別情報の送信元であるクライアント３０１のＩＰアドレスとフィルタリングリストとを対応付けして記憶しておく。また、装置種別情報に対応したフィルタリングリストが記憶されていないことがフィルタリングリスト記憶部３０５および装置種別情報管理部１０４から応答された場合、フィルタリング機能部１０２はネットワーク１０７に接続されたフィルタリングリストサーバ１０５へフィルタリングリストの問い合わせを行うため、フィルタリングリスト配信要求を送信する。フィルタリングリスト配信要求を受信したフィルタリングリストサーバ１０５はフィルタリングリスト配信要求に含まれる装置種別情報に対応するフィルタリングリストが存在するかどうかを装置種別情報・フィルタリングリストデータベース部１０６に問い合わせる。対応したフィルタリングリストが存在しない場合は、フィルタリングリストサーバ１０５は、フィルタリング装置３０４に対して存在しないことを送信する。フィルタリングリストが存在していた場合は、フィルタリングリストサーバ１０５は、フィルタリング装置３０４に対してフィルタリングリストの送信を行う。フィルタリングリストを受信したフィルタリング装置３０４内のフィルタリング機能部１０２は、受信したフィルタリングリストをフィルタリングリスト記憶部に送信し、装置種別情報とフィルタリングリストとの対応および、ＩＰアドレスとフィルタリングリストとの対応を記憶しておく。以上が、クライアント毎に適したフィルタリングリストの取得方法である。これ以後、クライアント３０１から例えばＷｅｂサイトへのアクセスがあった場合には、クライアント３０１のＩＰアドレスに対応したフィルタリングリストに従ってフィルタリングを行うことになる。
【産業上の利用可能性】
【００３２】
本発明にかかるフィルタリングシステムは、装置種別毎にフィルタリングリストを配信する手段を有し、フィルタリングシステム等として有用である。またＵＲＬフィルタリング・コンテンツフィルタリング等の用途にも応用できる。
【図面の簡単な説明】
【００３３】
【図１】本発明の実施の形態１の構成図
【図２】本発明の実施の形態２の構成図
【図３】本発明の実施の形態３の構成図
【図４】フィルタリングリスト取得処理のフローチャート
【図５】ネットワークに接続された時のフィルタリングリスト更新処理フローチャート
【図６】装置種別情報・フィルタリングリストデータベース部が更新された時のフィルタリングリスト更新処理フローチャート
【図７】設定された時間毎にフィルタリングリスト配信要求を行う時のフィルタリングリスト更新処理フローチャート
【図８】フィルタリング処理のフローチャート
【図９】フィルタリングリストフォーマットおよびフィルタリングリストの一例を示す図
【図１０】装置種別情報フォーマットおよび装置種別情報の一例を示す図
【図１１】フィルタリングリスト更新通知のフォーマット例を示す図
【図１２】フィルタリングリスト配信要求のフォーマット例を示す図
【符号の説明】
【００３４】
１０１    フィルタリング装置
１０２    フィルタリング機能部
１０３    フィルタリングリスト記憶部
１０４    装置種別情報管理部
１０５    フィルタリングリストサーバ
１０６    装置種別情報・フィルタリングリストデータベース部
１０７    ネットワーク
１０８    クライアント
１０９    装置通信部
２０１    装置種別情報設定部
３０１    クライアント
３０２    装置種別情報送信部
３０３    装置種別情報設定部
３０４    フィルタリング装置
３０５    フィルタリングリスト記憶部
【図１】
2006018635.tif 000003
【図２】
2006018635.tif 000004
【図３】
2006018635.tif 000005
【図４】
2006018635.tif 000006
【図５】
2006018635.tif 000007
【図６】
2006018635.tif 000008
【図７】
2006018635.tif 000009
【図８】
2006018635.tif 000010
【図９】
2006018635.tif 000011
【図１０】
2006018635.tif 000012
【図１１】
2006018635.tif 000013
【図１２】
2006018635.tif 000014